【事件の表示】
　平成　９年特許願第３６７１０７号「データ伝送システム及びデータ伝送方法」拒絶査定不服審判事件〔平成１１年　７月　９日出願公開、特開平１１−１８４７７７〕について、次のとおり審決する。
【結　論】
　本件審判の請求は、成り立たない。
【理　由】
１．（手続きの経緯・本願発明の要旨）
　本願は、平成９年１２月２４日の出願であって、その請求項１に係る発明（以下、「本願発明」という。）は、平成１５年５月１２日付け手続補正書により補正された明細書及び図面の記載からみて、その特許請求の範囲の請求項１に記載された次のとおりのものと認める。
　
「ネットワークにそれぞれ接続された送信側装置と受信側装置を備えたデータ伝送システムであって、
　前記送信側装置は、伝送すべきオリジナルデータを記憶する記憶手段と、該オリジナルデータ及び該オリジナルデータに基づいて作成されたプレビューデータを送信することが可能な第１の送受信手段と、前記送信側装置内の各手段を制御する第１の制御手段と、を備えると共に、
　前記受信側装置は、少なくとも送信された前記プレビューデータを受信することが可能な第２の送受信手段と、入力手段と、出力手段と、前記受信側装置内の各種手段を制御する第２の制御手段と、を備え、
　前記第１の制御手段は、前記プレビューデータを前記第１の送受信手段を介して前記受信側装置に送信すると共に、ユーザインタフェースデータも前記第１の送受信手段を介して前記受信側装置に送信し、
　前記第２の制御手段は、送信された前記プレビューデータを前記第２の送受信手段を介して受信した場合に、前記出力手段によって前記プレビューデータの内容を視認可能に出力させ、送信された前記ユーザインタフェースデータを前記第２の送受信手段を介して受信した場合に、前記出力手段によって前記ユーザインタフェースデータの内容を視認可能に出力させ、
　その後、前記入力手段を介して前記受信側装置に、前記オリジナルデータの伝送の指示が入力されると共に、前記オリジナルデータの内容を視認可能に出力させる際に用いる設定情報が入力された場合に、前記第２の制御手段は、前記オリジナルデータの伝送要求を前記第２の送受信手段を介して前記送信側装置に送信すると共に、前記設定情報も併せて前記第２の送受信手段を介して前記送信側装置に送信し、
　前記第１の制御手段は、送信された前記伝送要求を前記第１の送受信手段を介して受信すると共に、送信された前記設定情報を前記第１の送受信手段を介して受信した場合に、前記記憶手段に記憶された前記オリジナルデータを前記第１の送受信手段を介して前記受信側装置または前記ネットワークに接続されている所定の装置に送信すると共に、前記設定情報の少なくとも一部を、前記オリジナルデータを送信すべき前記装置に送信することを特徴とするデータ伝送システム。」
　
２．（引用例）
　これに対して、原査定の拒絶の理由に引用された、特開平９−２３１０２２号公報（以下、「引用例」という。）には、図面とともに次の記載がある。
（イ）「【発明の属する技術分野】　本発明は遠隔印刷システムの文書蓄積装置に関し、特に文書閲覧装置からの閲覧要求に従って蓄積された文書を印刷前に利用者に提供し、文書閲覧装置では印刷イメージの表示（印刷プレビュー）に基づいた印刷条件の指定が可能な遠隔印刷システムの文書蓄積装置に関する。」（段落【０００１】第２頁第１欄第４６行〜第２欄第１行）
（ロ）「【００２１】　このようにして、文書閲覧装置１にて内容が確認された電子文書を印刷する場合には、文書閲覧装置１から印刷指示を含む閲覧要求を発行する。文書蓄積装置２では、その閲覧要求を閲覧要求受信・解析手段２ａが受信し、文書加工手段２ｃが閲覧要求の内容に応じた印刷用画像データを用意する。ここでは、印刷ページが指定されている場合は指定ページの印刷用画像データを電子文書から抽出し、その電子文書全体を印刷する場合は、文書全体の印刷用画像データを抽出する。印刷用画像データは、文書送信手段２ｅによりその印刷装置３へ送信される。印刷装置３はその印刷用画像データを受信し、印刷を実行する。
【００２２】　したがって、本発明によれば、文書閲覧装置１からの閲覧要求に対する閲覧用応答データはページ単位の画像情報であるので、１回の閲覧要求で通信経路４を介して送受される転送画像データは多くても１ページ分なので、ページ表示要求操作から指定ページが文書閲覧装置１の表示手段１ｃで実際に表示されるまでの応答時間が短縮され、遠隔印刷システムにおける印刷プレビューの応答効率を上げることが可能になる。また、閲覧した文書に対して印刷要求を出すことにより、文書蓄積装置２は印刷用の高品質の画像データを用意してこれを指定の印刷装置３に転送するようにしたので、品質の高い印刷をすることができる。つまり、利用者は、実際の高品質な印刷を行う前に、文書蓄積装置２の文書のページ内容を低解像度の画像によって高速にプレビューし、内容を確認することが可能になる。」（第４頁第６欄第３２行〜第５頁第７欄第８行）
（ハ）「【００２５】　図２はサーバクライアントシステムの構成例を示すブロック図である。　図示のサーバクライアントシステムは、ユーザの端末であるクライアント１０と、ファイルサーバ２０と、プリントサーバ３０と、これらを接続したＬＡＮ（Ｌｏｃａｌ　Ａｒｅａ　Ｎｅｔｗｏｒｋ）、ＷＡＮ（Ｗｉｄｅ　Ａｒｅａ　Ｎｅｔｗｏｒｋ）と呼ばれるネットワーク４０とによって構成されている。クライアント１０は文書閲覧装置として機能するもので、ネットワーク上に複数存在するが、図示の例では１つのみを示してある。
【００２６】　クライアント１０は閲覧要求送信部１１および文書受信部１２から構成され、閲覧要求送信部１１にはキーボードまたはマウスなどのポインティングデバイスからなる入力装置１３が接続され、文書受信部１２には表示装置１４が接続されている。また、閲覧要求送信部１１および文書受信部１２はそれぞれネットワーク４０に接続されている。
【００２７】　ファイルサーバ２０は、ネットワーク４０に接続された閲覧要求受信部２１と、受信した閲覧要求を解析する閲覧対象判別部２２と、判別された閲覧対象を取得する文書取得部２３と、あらかじめ作成された電子文書を蓄積しておくファイル格納部２４と、取得された文書に対して閲覧対象判別部２２で解析された指定のフォーマットに加工する文書加工部２５と、閲覧対象判別部２２で解析されたページ情報を基に隣接ページの情報を生成する参照情報生成部２６と、文書加工部２５にて加工された文書データに参照情報生成部２６にて生成された参照情報を埋め込んだ応答データを作成する応答フォーマット合成部２７と、閲覧対象判別部２２で判別されたアドレス情報から応答データの送信先を判定する送信先判定部２８と、応答データを判定された送信先に送信する文書送信部２９とから構成されている。閲覧対象判別部２２はさらに、閲覧要求から対象ファイルの所在情報を抽出する所在抽出部２２ａと、閲覧要求から要求した処理内容を指示した拡張部分を抽出する拡張部抽出部２２ｂとから構成されている。」（第５頁第７欄第２２行〜第８欄第７行）
（ニ）「【００２８】　プリントサーバ３０は、ネットワーク４０に接続されて転送された印刷用画像データを受ける印刷情報受信部３１を備えている。この印刷情報受信部３１は受けた印刷用画像データをプリンタ３２に出力するよう接続されている。
【００２９】　クライアント１０は、具体的には、たとえばインターネットのＷＷＷサーバにアクセスできる文書閲覧ソフトウェア（ＷＷＷブラウザ）を搭載したパソコンまたはワークステーションである。」（第５頁第８欄第１８行〜第２６行）
（ホ）「【００３２】　ファイルサーバ２０は、インターネットでＷＷＷサーバと呼ばれる機構を指している文書蓄積装置であって、一般のＵｎｉｘ（Ｘ／Ｏｐｅｎ　Ｃｏ．，Ｌｔｄ．がライセンスしている米国およびその他の国における登録商標）、Ｗｉｎｄｏｗｓ、ＷｉｎｄｏｗｓＮＴ（いずれも米国Ｍｉｃｒｏｓｏｆｔ社の登録商標）などのディレクトリ型ファイルシステムとネットワーク通信機能とを備えるオペレーティングシステムの上の常駐プログラムとして動作する。クライアント１０からアクセス要求が届くと、ファイル格納部２４の所定のディレクトリに格納されたＨＴＭＬ形式のデータファイルの中から、指定されたファイルを、要求のあったクライアント１０に対して送り返す。」（第６頁第９欄第４行〜第１６行）
（ヘ）「【００４６】　図８は電子文書送信情報加工処理の流れを示すフローチャートである。文書加工部２５では、閲覧対象の判別処理でカットした所在情報の拡張部分を拡張部抽出部２２ｂから取得する（ステップＳ５１）。すなわち、上記の例では、印刷プレビュー時の拡張部分「ｐ１」または印刷指示時の拡張部分「ｒ−ｐｒｉｎｔ＠”プリントサーバアドレス”」を得る。次に、この拡張部分の内容によって処理が分岐される（ステップＳ５２）。たとえば、上記の例のように、拡張部分が「ｐ１」であれば、これはページ指定を表す拡張部分であるので、指定ページイメージ抽出処理に進む（ステップＳ５３）。他の分岐としては、指定フォーマット画像データ抽出処理（ステップＳ５４）、特定ページの指定された領域の画像データを用意するための表示領域指定処理（ステップＳ５５）、指定解像度または指定倍率の画像データを用意するための表示倍率指定処理（ステップＳ５６）、一般アプリケーションソフトウェアによるネイティブなデータを用意するためのデータファイル取得処理（ステップＳ５７）、プリントサーバ３０へ送出するための遠隔印刷処理（ステップＳ５８）、ファクシミリ用画像データを用意するためのファクシミリ送信処理（ステップＳ５９）、およびクライアント１０の備えるプリンタに送るための印刷用画像データを用意するローカル印刷処理（ステップＳ６０）がある。」（第７頁第１２欄第２１行〜第４４行）
（ト）「【００５１】　このように、閲覧要求時に、同一のページ画像に対して、画像データＰＤの種類を指定することにより、指定されたフォーマットの画像データＰＤを転送してもらえることができる。したがって、画像データＰＤとして、一般に普及している閲覧ソフトで受信・表示ができる画像フォーマットで送ることができるので、広い利用者が文書を閲覧することができる。また、標準的なイメージ、高圧縮率のイメージ、高品質イメージなど、交換するクライアントで扱えるデータの種類を選択することができるので、たとえば、普段はデータ量が少ないモノクロ２値の圧縮画像で閲覧し、必要に応じてカラー画像を要求するとか、ネットワークがすいていたり、近いネットワークのため、データ転送量に余裕がある場合は、品質重視の画像を要求し、混雑していたり遠くて伝送率が悪い条件では、データ量軽減重視の画像を要求するなど、条件に応じた転送方法を選択できる。
【００５２】図１２は表示領域指定処理、表示倍率指定処理およびデータファイル取得処理の流れを示すフローチャートである。・・・中略・・・伝送されるイメージの解像度を上げれば、細密な文書でも詳細を閲覧できるようになり、伝送されるイメージの解像度を下げれば、大きな版面を持つ文書でも、高速に俯瞰することができ、目的に応じた文書閲覧が実現できる。」（第８頁第１４欄第３３行〜第９頁第１５欄第４３行）
（チ）「【００５６】　図１３は遠隔印刷処理の流れを示すフローチャートである。閲覧要求に遠隔印刷要求が含まれていた場合、たとえば閲覧要求に、プリントサーバアドレスとともに「ｒ−ｐｒｉｎｔ」が指定されていた場合には、閲覧対象の電子文書ファイルをオープンし（ステップＳ１１１）、文書データ部の文書全体の印刷画像データＰＤを読み込む（ステップＳ１１２）。通常は、全ページの印刷を要求する場合が多いので、文書データ部に格納されている文書全体の画像データ（たとえば、ＰｏｓｔＳｃｒｉｐｔによるＰＤＬデータ）を読み込むが、特定のページまたはページ範囲の印刷が要求された場合には、電子文書のページ部からここに格納されている該当ページの印刷画像データを読み込む。また、必要なら、閲覧要求にカラー・解像度・フォーマットなどの印刷品質の指定をすることもできるので、その場合は、読み込まれた文書全体または指定ページの画像データは要求に応じて加工される。次に、閲覧要求に指定されていたプリントサーバアドレスのプリントサーバにおける印刷情報受信部に対して印刷画像データＰＤを送信する（ステップＳ１１３）。」（第９頁第１６欄第４行〜第２３行）
（リ）「【００６３】　上記のような環境の実現に当たって、利用者側のクライアントの構成は、既に市場で流通している機構（＝ＷＷＷブラウザ）になんら修正を加えることなく、ファイルサーバ側を対応させるだけで、満足のいく印刷プレビューおよび文書印刷の環境を実現することができる。」（第１０頁第１８欄第１１行〜第１６行）
（ヌ）「【発明の効果】　以上説明したように本発明では、文書蓄積装置は、一般アプリケーションソフトウェアで作成した複数ページから成る文書を格納する場合、ページ単位に分割された閲覧用画像データの集合および印刷用画像データが保持されている電子文書の形で格納するようにした。これにより、印刷プレビューのために電子文書を閲覧する場合に、閲覧用画像データの送受はページ単位となり、ページの印刷プレビュー表示要求操作に対する応答を高速にすることができる。遠隔印刷指示の場合は、文書蓄積装置は閲覧文書から印刷用の画像データを取得してネットワーク上の別のアドレスにある印刷装置に転送するようにしたので、高品質な印刷を実行することができる。つまり、電子画面上での高速な閲覧応答速度と、高品質な印刷とを両立することができる。
【００６５】　また、一般に、高品質印刷用画像データは、低解像度の閲覧用画像データの場合に比べ、情報量および印刷処理の負荷が飛躍的に増加するが、実際の印刷処理では、印刷用画像データは各利用者の文書閲覧装置を経由しないで直接文書蓄積装置から印刷装置へ転送されるため、文書閲覧装置には負荷がかからない。
【００６６】　さらに、文書加工手段は、印刷装置に転送する印刷情報として、閲覧文書の全ページはもちろん、特定のページ、ページ範囲を指定することができ、カラー・解像度・フォーマットなどの印刷品質を指定することができ、目的に応じたきめの細かい印刷設定が可能である。」（第１０頁第１８欄第２６行〜第１１頁第１９欄第１行）
　以上の記載によれば、この引用例には以下のような発明（以下、「引用例記載の発明」という。）が開示されていると認められる。
　
「ネットワークにそれぞれ接続されたファイルサーバ２０（文書蓄積装置）とクライアント１０（文書閲覧装置）を備えた遠隔印刷システムであって、
　前記ファイルサーバ２０（文書蓄積装置）は、伝送すべき印刷プレビューのための低解像度の閲覧用画像データおよび高品質印刷用画像データを格納するファイル格納部２４と、該閲覧用画像データおよび印刷用画像データを送信することが可能な文書送信部２９と、を備えると共に、
　前記クライアント１０（文書閲覧装置）は、少なくとも送信された前記閲覧用画像データを受信することが可能な文書受信部１２と、入力装置１３と、表示装置１４と、を備え、
　前記ファイルサーバ２０（文書蓄積装置）は、前記閲覧用画像データを前記文書送信部２９を介して前記クライアント１０（文書閲覧装置）に送信し、
　前記クライアント１０（文書閲覧装置）は、送信された前記閲覧用画像データを前記文書受信部１２を介して受信した場合に、前記表示装置１４によって前記閲覧用画像データの内容を視認可能に出力させ、
　その後、前記入力手段を介して前記クライアント１０（文書閲覧装置）に、印刷の要求が入力されると共に、印刷品質が指定された場合に、前記クライアント１０（文書閲覧装置）は、前記印刷用画像データの伝送要求を閲覧要求送信部１１を介して前記ファイルサーバ２０（文書蓄積装置）に送信し、
　前記ファイルサーバ２０（文書蓄積装置）は、送信された前記印刷の要求を前記閲覧要求受信部２１を介して受信すると共に、送信された前記指定された印刷品質を前記閲覧要求受信部２１を介して受信した場合に、前記ファイル格納部２４に格納された前記印刷用画像データを前記指定された印刷品質に基づいて加工し、前記文書送信部２９を介して前記クライアント１０（文書閲覧装置）のプリンタまたは前記ネットワークに接続されているプリントサーバ３０に送信する遠隔印刷システム。」
　
３．（対　比）
  そこで、本願発明と上記引用例記載の発明とを対比すると、引用例記載の発明の「ファイルサーバ２０（文書蓄積装置）」、「クライアント１０（文書閲覧装置）」、「遠隔印刷システム」、「閲覧用画像データ」、「印刷用画像データ」、「格納」、「ファイル格納部２４」、「文書送信部２９及び閲覧要求受信部２１」、「文書受信部１２及び閲覧要求送信部１１」、「入力装置１２」、「表示装置１４」、「印刷の要求」、「指定された印刷品質」及び「プリントサーバ３０」は、それぞれ本願発明の「送信側装置」、「受信側装置」、「データ伝送システム」、「プレビューデータ」、「オリジナルデータ」、「記憶」、「記憶手段」、「第１の送受信手段」、「第２の送受信手段」、「入力手段」、「出力手段」、「オリジナルデータの伝送要求」、「オリジナルデータの内容を出力する際に用いる設定情報」及び「所定の装置」に相当するものである。
　そして、引用例記載の発明において、ファイルサーバ２０（文書蓄積装置）、及び、パソコンまたはワークステーションであるクライアント１０（文書閲覧装置）は、それぞれ装置内の各手段を制御する制御手段を備えることは明らかである。
　したがって、両者は、
　
「ネットワークにそれぞれ接続された送信側装置と受信側装置を備えたデータ伝送システムであって、
　前記送信側装置は、伝送すべきオリジナルデータを記憶する記憶手段と、プレビューデータを送信することが可能な第１の送受信手段と、前記送信側装置内の各手段を制御する第１の制御手段と、を備えると共に、
　前記受信側装置は、少なくとも送信された前記プレビューデータを受信することが可能な第２の送受信手段と、入力手段と、出力手段と、前記受信側装置内の各種手段を制御する第２の制御手段と、を備え、
　前記第１の制御手段は、前記プレビューデータを前記第１の送受信手段を介して前記受信側装置に送信し、
　前記第２の制御手段は、送信された前記プレビューデータを前記第２の送受信手段を介して受信した場合に、前記出力手段によって前記プレビューデータの内容を視認可能に出力させ、
　その後、前記入力手段を介して前記受信側装置に、前記オリジナルデータの伝送の指示が入力されると共に、前記オリジナルデータの内容を視認可能に出力させる際に用いる設定情報が入力された場合に、前記第２の制御手段は、前記オリジナルデータの伝送要求を前記第２の送受信手段を介して前記送信側装置に送信すると共に、前記設定情報も併せて前記第２の送受信手段を介して前記送信側装置に送信し、
　前記第１の制御手段は、送信された前記伝送要求を前記第１の送受信手段を介して受信すると共に、送信された前記設定情報を前記第１の送受信手段を介して受信した場合に、前記記憶手段に記憶された前記オリジナルデータを前記第１の送受信手段を介して前記受信側装置または前記ネットワークに接続されている所定の装置に送信するデータ伝送システム。」で一致するものであり、次の点で相違している。
　
相違点（１）
　本願発明は、記憶手段にオリジナルデータを記憶し、プレビューデータは該オリジナルデータに基づいて作成されたものであるのに対し、引用例記載の発明は、記憶手段にオリジナルデータとプレビューデータを記憶したものであり、プレビューデータがオリジナルデータに基づいて作成されていない点。
相違点（２）
　本願発明では、ユーザインタフェースデータも受信側装置に送信し、送信された前記ユーザインタフェースデータを受信した場合に、出力手段によって前記ユーザインタフェースデータの内容を視認可能に出力させたのに対し、引用例記載の発明は、ユーザインタフェースデータを受信側装置に送信するものであるか不明な点。
相違点（３）
　本願発明では、オリジナルデータを受信側装置またはネットワークに接続されている所定の装置に送信すると共に、オリジナルデータの内容を出力する際に用いる設定情報の少なくとも一部を、前記オリジナルデータを送信すべき前記装置に送信するのに対し、引用例記載の発明は、オリジナルデータをオリジナルデータの内容を出力する際に用いる設定情報に基づいて加工して受信装置またはネットワークに接続されている所定の装置に送信するものである点。
　
４．（当審の判断）
　そこで、上記相違点について検討する。
相違点（１）について
　プレビューデータをオリジナルの画像データに基づいて作成することは、本出願前周知の技術（特開平８−９１７９号公報参照）である。
　そうすると、引用例記載の発明において、プレビューデータを記憶手段に記憶されたオリジナルデータに基づいて作成するようにすることは、当業者が必要に応じて適宜なし得ることである。
　
相違点（２）について
　ユーザインタフェース表示画面のデータを他のコンピュータ装置に送信し、他のコンピュータ装置で該ユーザインタフェース画面を表示することは、本出願前周知（特開平９−２６９９２１号公報参照）である。
　また、引用例には、「クライアント１０は、具体的には、たとえばインターネットのＷＷＷサーバにアクセスできる文書閲覧ソフトウェア（ＷＷＷブラウザ）を搭載したパソコンまたはワークステーションである。」（記載事項（ニ））及び「ファイルサーバ２０は、インターネットでＷＷＷサーバと呼ばれる機構を指している文書蓄積装置であって、一般のＵｎｉｘ（Ｘ／Ｏｐｅｎ　Ｃｏ．，Ｌｔｄ．がライセンスしている米国およびその他の国における登録商標）、Ｗｉｎｄｏｗｓ、ＷｉｎｄｏｗｓＮＴ（いずれも米国Ｍｉｃｒｏｓｏｆｔ社の登録商標）などのディレクトリ型ファイルシステムとネットワーク通信機能とを備えるオペレーティングシステムの上の常駐プログラムとして動作する。クライアント１０からアクセス要求が届くと、ファイル格納部２４の所定のディレクトリに格納されたＨＴＭＬ形式のデータファイルの中から、指定されたファイルを、要求のあったクライアント１０に対して送り返す。」（記載事項（ホ））ことが記載されており、ファイルサーバ２０からＨＴＭＬデータフォーマットで閲覧データを送信し、クライアント１０は受信した閲覧データをＷＷＷブラウザにより表示するものであるから、閲覧データをレイアウト、表示するための画面（ユーザインタフェースに相当する。）をＨＴＭＬによって作成し、閲覧データと共にファイルサーバ２０からクライアント１０に送信することが示されている。
　したがって、引用例記載の発明において、送信側装置からユーザインタフェースデータも受信側装置に送信し、送信された前記ユーザインタフェースデータを受信した場合に、出力手段によって前記ユーザインタフェースデータの内容を視認可能に出力させるようにすることは当業者であれば容易になし得ることである。
　
相違点（３）について
　印刷用画像データを印刷設定情報とともに印刷装置に送信し、印刷装置において、該印刷設定情報に基づき印刷用画像データを処理して印刷することは周知（特開平７−４４３３８号公報、特開平９−２３１０３９号公報、特開平９−１８３２６０号公報段落【００２５】参照）であって、この周知技術のように「画像信号と印刷設定情報をプリンタ装置に送信し、プリンタ装置で印刷設定情報に基づく印刷処理をする」か、引用例に記載され、周知（特開平８−９１７９号公報段落【００１９】参照）でもある「画像データに印刷設定情報に基づく画像処理を行い、画像処理を行ったデータを送信してプリンタ装置で印刷する」かは、必要に応じて選択し得る設計事項にすぎない。
　したがって、引用例記載の発明において、オリジナルデータをオリジナルデータの内容を出力する際に用いる設定情報に基づいて加工して受信装置またはネットワークに接続されている所定の装置に送信することに代え、オリジナルデータを受信側装置またはネットワークに接続されている所定の装置に送信すると共に、オリジナルデータの内容を出力する際に用いる設定情報の少なくとも一部を、前記オリジナルデータを送信すべき前記装置に送信するように変更することは、当業者が容易になし得ることである。
　
　また、上記の相違点に基づく本願発明の作用効果も、引用例記載の発明及び周知技術から、当業者であれば予想できる範囲内のものである。
　
５．（むすび）
　したがって、本願請求項１に係る発明は、上記引用例に記載された発明及び周知技術に基づいて当業者が容易に発明をすることができたものであるから、特許法第２９条第２項の規定により特許を受けることができない。
　したがって、本願は、その他の請求項について論及するまでもなく、拒絶すべきものである。
　よって、結論のとおり審決する。